(57)【要約】【課題】来院の頻度とその状況により、毎回同じ症状の場合で画面の確認で十分なものは画面で確認し、必要な部分は紙カルテとしてじっくり確認することができるカルテ管理システムを提供すること。【解決手段】診察が終わって必要事項を記載した診察後カルテ１１１をスキャナ装置１２１でスキャンするとカルテ分析機能１３１に情報が送付される（Ｓ３０２）。カルテ分析機能１３１は、来院の頻度やキーワード、医師の重要度チェックの情報を分析する（Ｓ３０３）。患者が来院すると、医師はＵ／Ｉ装置１５１から該当カルテの呼出を行なう（Ｓ３０５）。重要部マーク管理ＤＢ１４４、出力制御ＤＢ１４５および重要部分出力制御ＤＢ１４６からもこのような情報を取得する（Ｓ３０６）。カルテ分析機能１３１は、印刷するデータを印刷装置１６１へ出力するとともに、画面表示データをＵ／Ｉ装置１５１に出力する（Ｓ３１０、Ｓ３１１）【選択図】図３
2007334676.tif 000002
【特許請求の範囲】
【請求項１】
診療経過を含む診療情報を記録したカルテに記載された情報を読み取るカルテ読取装置と、
記録材に画像形成を行う画像形成装置と、
情報を表示する情報表示装置と、
過去のカルテ情報を含む患者情報、および診療対象の患者の前記患者情報のうち診療施術者に提示する情報の出力を制御する条件である出力制御条件を格納するカルテ情報データベースと、
前記カルテ情報データベースから前記診療経過を読み出し、診療頻度及び診療間隔を算出して、当該算出された診療頻度及び診療間隔により診療の際に診療施術者に提示する情報を重要度ごとに判定する判定手段と、診療に際し、前記カルテ情報データベースに格納された出力制御条件を読み出して、前記重要度ごとに前記患者情報のうち診療施術者に提示する情報の出力先を前記画像形成装置とするか前記情報表示装置とするか、および該出力先への出力方法を決定する決定手段と、前記決定手段によって決定した出力先及び出力方法により前記診療施術者に提示する情報を出力する出力手段とを含む制御手段と
を備えたことを特徴とするカルテ管理システム。
【請求項２】
前記決定手段は、前記判定された重要度が高い場合は前記画像形成装置を出力先と決定し、低い場合は前記情報表示装置を出力先と決定することを特徴とする請求項１に記載のカルテ管理システム。
【請求項３】
前記画像形成装置は、１枚の記録材に複数面の画像形成が可能であり、前記決定手段は、前記判定された重要度が低いほど１枚の記録材に画像形成する面数を多くする方法で出力するよう決定することを特徴とする請求項２に記載のカルテ管理システム。
【請求項４】
前記決定手段は、前記患者情報のうち診療施術者に提示する情報として、病名ごとに出力する項目を抽出し、当該抽出された項目を前記情報表示装置にリスト表示して前記診療施術者からの選択を受け取って出力情報を決定する病名リスト表示選択手段を含むことを特徴とする請求項1、２または３に記載のカルテ管理システム。
【請求項５】
前記判定手段は、さらに前記診療施術者の要求内容により判定を行うことを特徴とする請求項1ないし４のいずれかに記載のカルテ管理システム。
【請求項６】
前記制御手段は、前記診療施術者からの入力により前記出力制御条件を設定して、前記カルテ情報データベースに格納する出力制御条件設定手段をさらに含むことを特徴とする請求項1ないし５のいずれかに記載のカルテ管理システム。
【請求項７】
診療経過を含む診療情報を記録したカルテに記載された情報を読み取るカルテ読取ステップと、
過去のカルテ情報を含む患者情報、および診療対象の患者の前記患者情報のうち診療施術者に提示する情報の出力を制御する条件である出力制御条件を格納するカルテ情報データベースから前記診療経過を読み出し、診療頻度及び診療間隔を算出して、当該算出された診療頻度及び診療間隔により診療の際に診療施術者に提示する情報を重要度ごとに判定する判定ステップと、
診療に際し、前記カルテ情報データベースに格納された出力制御条件を読み出して、前記重要度ごとに前記患者情報のうち診療施術者に提示する情報の出力先を前記画像形成装置とするか前記情報表示装置とするか、および該出力先への出力方法を決定する決定ステップと、
前記決定ステップにおいて決定した出力先及び出力方法により前記診療施術者に提示する情報を出力する出力ステップと
を備えたことを特徴とするカルテ管理方法。
【請求項８】
前記決定ステップは、前記判定された重要度が高い場合は前記画像形成装置を出力先と決定し、低い場合は前記情報表示装置を出力先と決定することを特徴とする請求項７に記載のカルテ管理方法。
【請求項９】
前記画像形成装置は、１枚の記録材に複数面の画像形成が可能であり、前記決定ステップは、前記判定された重要度が低いほど１枚の記録材に画像形成する面数を多くする方法で出力するよう決定することを特徴とする請求項８に記載のカルテ管理方法。
【請求項１０】
前記決定ステップは、前記患者情報のうち診療施術者に提示する情報として、病名ごとに出力する項目を抽出し、当該抽出された項目を前記情報表示装置にリスト表示して前記診療施術者からの選択を受け取って出力情報を決定する病名リスト表示選択ステップを含むことを特徴とする請求項７、８または９に記載のカルテ管理方法。
【請求項１１】
前記判定ステップは、さらに前記診療施術者の要求内容により判定を行うことを特徴とする請求項７ないし１０のいずれかに記載のカルテ管理方法。
【請求項１２】
前記診療施術者からの入力により前記出力制御条件を設定して、前記カルテ情報データベースに格納する出力制御条件設定ステップをさらに備えたことを特徴とする請求項７ないし１１のいずれかに記載のカルテ管理方法。
【発明の詳細な説明】
【技術分野】
【０００１】
本発明は、カルテ管理システム、およびその方法に関し、具体的には来院頻度によりカルテ管理を行うカルテ管理システム、およびその方法に関するものである。
【背景技術】
【０００２】
従来、医師等が診療経過等を記載するために患者ごとのカルテ用紙が用いられており、医師等は、患者の診察を行うたびにファイル棚からその患者用のカルテ用紙を取り出して記入し、診察が終わると元の位置にしまうといった方法によりカルテを使用している。近年、一部の医療機関では、記入者のユーザインタフェースを向上させ、および医療機関の情報システムとの融合を促進するため紙のカルテに代わり、電子カルテが導入されてきている。このような電子カルテを用いる場合、診察を開始するにあたって医師等が必要とする情報を効果的に医師等に通知するため、カルテの画面上だけでなく別途印刷して提供することも効果的である。
【発明の開示】
【発明が解決しようとする課題】
【０００３】
しかしながら、患者が病院に来る頻度は患者自身の都合や状況によってまちまちであるが、例えば毎日のように来る患者のカルテは医師にとって、最新の部分や特筆すべき部分が必要な情報となる。また、年に一度や数年ぶりにしか来ない患者の診療内容は過去に診療した内容を一通り確認する必要がある。このように、患者の来院状況によってカルテ内容の重要部分が変化することに加え、カルテの電子化により情報量が増えたため、印刷内容を絞り込まなければならないという問題がある。
【０００４】
本発明は、このような問題に鑑みて為されたものであり、来院の頻度とその状況により、毎回同じ症状の場合で画面の確認で十分なものは画面で確認し、必要な部分は紙カルテとしてじっくり確認することができるカルテ管理システムを提供することを目的とする。また、紙カルテとして出力する場合も紙１枚に２頁分の印刷で十分なものは面付印刷を行って、紙カルテと電子カルテの双方の利点を利用した、患者の来院状況や医師の要望によってカルテ情報の重要部を絞り込むカルテ管理システムを提供することを目的とする。
【課題を解決するための手段】
【０００５】
このような目的を達成するため、本発明のカルテ管理システムは、診療経過を含む診療情報を記録したカルテに記載された情報を読み取るカルテ読取装置と、記録材に画像形成を行う画像形成装置と、情報を表示する情報表示装置と、過去のカルテ情報を含む患者情報、および診療対象の患者の患者情報のうち診療施術者に提示する情報の出力を制御する条件である出力制御条件を格納するカルテ情報データベースと、カルテ情報データベースから診療経過を読み出し、診療頻度及び診療間隔を算出して、算出された診療頻度及び診療間隔により診療の際に診療施術者に提示する情報を重要度ごとに判定する判定手段と、診療に際し、カルテ情報データベースに格納された出力制御条件を読み出して、重要度ごとに患者情報のうち診療施術者に提示する情報の出力先を画像形成装置とするか情報表示装置とするか、および出力先への出力方法を決定する決定手段と、決定手段によって決定した出力先及び出力方法により診療施術者に提示する情報を出力する出力手段とを含む制御手段とを備えたことを特徴とする。
【０００６】
また、本発明のカルテ管理方法は、診療経過を含む診療情報を記録したカルテに記載された情報を読み取るカルテ読取ステップと、過去のカルテ情報を含む患者情報、および診療対象の患者の患者情報のうち診療施術者に提示する情報の出力を制御する条件である出力制御条件を格納するカルテ情報データベースから診療経過を読み出し、診療頻度及び診療間隔を算出して、算出された診療頻度及び診療間隔により診療の際に診療施術者に提示する情報を重要度ごとに判定する判定ステップと、診療に際し、カルテ情報データベースに格納された出力制御条件を読み出して、重要度ごとに患者情報のうち診療施術者に提示する情報の出力先を画像形成装置とするか情報表示装置とするか、および出力先への出力方法を決定する決定ステップと、決定ステップにおいて決定した出力先及び出力方法により診療施術者に提示する情報を出力する出力ステップとを備えたことを特徴とする。
【発明の効果】
【０００７】
本発明によれば、来院の頻度とその状況により、毎回同じ症状の場合で画面で確認できればいいものは画面で確認し、必要な部分は紙カルテとしてじっくり確認することができる。
【０００８】
また、紙カルテとして出力する場合も紙１枚に２頁分の印刷で十分なものは面付印刷を行って、紙カルテと電子カルテの双方の利点を利用した、患者の来院状況や医師の要望によってカルテ情報の重要部を絞り込むことができる。
【発明を実施するための最良の形態】
【０００９】
（第１実施形態）
以下に、図面を参照して、この発明の好適な実施形態を例示的に説明する。ただし、この実施形態に記載されている方法はあくまで例示であり、この発明の範囲をそれらのみに限定する趣旨のものではない。
【００１０】
（装置の説明）
図１は、本発明の好適な実施形態に係る情報処理装置としての来院頻度によるカルテ管理のシステム構成図である。図１において、スキャナ装置１２１は、診察内容を記載したスキャンすべき診察後カルテ１１１をスキャンして入力情報を取得する。制御手段であるカルテ分析機能１３１は入力情報を分析し出力情報を生成し、スキャンイメージファイルサーバ１４１はスキャンしたイメージを格納する。
【００１１】
診察時間管理データベース１４２は、診察した時間の経過や間隔を管理しているデータベースである。診察キーワード管理データベース１４３は、診察後カルテ１１１から取得したキーワードを管理するためのデータベースであり、重要部マーク管理データベース１４４は医師が重要として言及したマークを管理するためのデータベースである。出力制御定義データベース１４５は医師があらかじめ来院の頻度に応じた出力形態を定義しておくためのデータベースあり、重要部分出力制御定義データベース１４６は医師があらかじめ重要部分に応じた出力形態を定義しておくためのデータベースである。
【００１２】
Ｕ／Ｉ装置１５１は操作を行なう際に必要な情報を表示し、指示の入力をうけるユーザインターフェースであり、印刷装置１６１は診察後カルテ１１１を分析して絞り込むべき結果が反映したカルテ情報を印刷するためのものである。来院頻度対応カルテ用紙１７１は診察時に必要な形態で印刷されたものである。
【００１３】
図２は、スキャナ装置１２１の概略構成を示すブロック図である。図２において、表示装置２０１の表示画面には、例えばウインドウ、アイコン、メッセージ、メニューその他のユーザインターフェース情報が表示される。表示装置２０１に表示するための画像は、ＶＲＡＭ（ビデオランダムアクセスメモリ）２０２に描画展開される。このＶＲＡＭ２０２に生成された画像データは、所定の規定に従って表示装置２０１に転送され、これにより表示装置２０１に画像が表示される。ＣＤＤ（コンパクトディスクドライブ）２０３は、ＣＤ−ＲＯＭや、ＣＤ−Ｒなどの記録メディアとの間で各種制御プログラムやデータの読み書きを行う装置であり、これはＤＶＤドライブであってもよい。
【００１４】
キーボード２０４は文字入力を行うための各種キーを有し、ＰＤ（ポインティングデバイス）２０５は、例えば表示部２０１の表示画面上に表示されたアイコン、メニューその他のオブジェクトを指示するために使用される。ＣＰＵ（セントラルプロセッシングユニット）２０６は、ＲＯＭ（リードオンリメモリ）２０７、ＨＤＤ（ハードディスクドライブ）２０９、ＦＤＤ（フレキシブルディスクドライブ）２１０及びＣＤＤ２０３に格納された制御プログラムによりデバイスを制御する。ＲＯＭ２０７は、各種の制御プログラムやデータを保持する。ＲＡＭ（ランダムアクセスメモリ）２０８は、ＣＰＵ２０６のワーク領域、エラー処理時のデータの退避領域、制御プログラムのロード領域等を有する。
【００１５】
記憶装置としてのＨＤＤ２０９は、各種制御プログラムや各種データを保存し、ネットワーク・インターフェース（Ｎｅｔ−Ｉ／Ｆ）２１１は画像形成装置１２３や他の情報処理装置等とネットワーク２１３を介して通信を行うことができる。ＣＰＵバス２１２には、アドレスバス、データバス及びコントロールバスが含まれる。ＣＰＵ２０６に対する制御プログラムの提供は、ＲＯＭ２０７、ＨＤＤ２０９、ＦＤＤ２１０、ＣＤＤ２０３から行うこともできるし、ネットワーク２１３を介して他の情報処理装置等から行うこともできる。
【００１６】
以上、来院頻度によるカルテ管理システムのスキャナ装置１２１のハードウェア構成について図２を参照して説明したが、Ｕ／Ｉ装置１５１部、印刷装置１６１部も図２と同じ構成を取ることができる。
【００１７】
（システム全体の処理概要）
図３は、全体処理の概要を示すシーケンス図である。この図３に示すシーケンス図と図１に示すシステム構成図を使って、患者の来院状況から重要部を割出してから出力にいたるまでの処理の概要を説明する。診療施術者である医師は、事前に出力制御定義ＤＢ１４５および重要部分出力制御定義ＤＢ１４６の設定を行なっておく（Ｓ３０１）。診察が終わって必要事項を記載した診察後カルテ１１１をスキャナ装置１２１でスキャンするとカルテ分析機能１３１に情報が送付される（Ｓ３０２）。カルテ分析機能１３１は、来院の頻度やキーワード、医師の重要度チェックの情報を分析する（Ｓ３０３）。
【００１８】
カルテ分析機能１３１は、Ｓ３０３で分析した結果をスキャンイメージファイルサーバ１４１、診察時間管理ＤＢ１４２、診察キーワード管理ＤＢ１４３、重要部マーク管理ＤＢ１４４、出力制御ＤＢ１４５にそれぞれ格納する（Ｓ３０４）。Ｓ３０３で分析した結果は、重要部分出力制御ＤＢ１４６にも格納される（Ｓ３０４）。
【００１９】
このように設定が行われた状態で、患者が来院すると、医師はＵ／Ｉ装置１５１から該当カルテの呼出を行なう（Ｓ３０５）。カルテ分析機能１３１は、該当カルテの情報をスキャンイメージファイルサーバ１４１、診察時間管理ＤＢ１４２および診察キーワード管理ＤＢ１４３からそれぞれ取得する（Ｓ３０６）。重要部マーク管理ＤＢ１４４、出力制御ＤＢ１４５および重要部分出力制御ＤＢ１４６からもこのような情報を取得する（Ｓ３０６）。
【００２０】
カルテ分析機能１３１は、Ｓ３０６で取得した各種情報をもとに印刷の準備を行なう（Ｓ３０７）。
【００２１】
カルテ分析機能１３１は、印刷準備の結果としてカルテ出力形態をＵ／Ｉ装置１５１に表示させる（Ｓ３０８）。Ｕ／Ｉ装置１５１にはいつのカルテがどのように出力されるか表示されているので、医師は表示されている内容での出力を指示する（Ｓ３０９）。カルテ分析機能１３１は、印刷するデータを印刷装置１６１へ出力するとともに、画面表示データをＵ／Ｉ装置１５１に出力する（Ｓ３１０、Ｓ３１１）。
【００２２】
図４〜図９は来院頻度によるカルテ管理の処理の詳細を示すフローチャートである。図１０〜図１２はＵ／Ｉ装置１５１に表示される画面を示しており、Ｇ５０１は来院頻度一覧カルテ画面、Ｇ５０２はキーワード一覧カルテ画面、Ｇ５０３は重要度一覧カルテ画面である。図１３〜図１６は各データベースに格納されたデータを示す図である。ここで、Ｄ６２０１は診察時間管理ＤＢレイアウト、Ｄ６３０１は診察キーワード管理ＤＢレイアウト、Ｄ６４０１は重要部マーク管理ＤＢレイアウト、Ｄ６５０１は出力制御定義ＤＢレイアウトである。図１８、１９は、カルテのフォームを示す図であり、Ｆ７１０１はカルテ記入フォームキーワード１枚目、Ｆ７１０２はカルテ記入フォームキーワード２枚目、Ｆ７２０１はカルテ記入フォーム重要部１枚目、Ｆ７２０２はカルテ記入フォーム重要部２枚目である。このフローチャート、画面、データベース、カルテのフォーム、及び図１を参照して各処理の詳細を説明する。
【００２３】
（事前定義ＤＢ設定処理）
図４は、来院頻度管理システムにおける出力制御条件である出力制御定義を設定する処理（Ｓ３０１に相当）を示すフローチャートである。出力制御定義ＤＢ１４５に対して、医師は事前に重要度を判定する来院の状況として一定のパターンを登録しておく。すなわち、来院の状況としては、最終診察日からの経過日数、診察間隔、および病名などのキーワードを組み合わせた、一定のパターンを想定し、図１６に示すＤ６５０１にパターンごと重要度に対応する出力形態を設定しておく。例えば「最終診察日から１年以上経過、診察間隔は１週間、およびキーワードの条件なし」、あるいは「最終診察日から×年以上経過、診察間隔は１週間、およびキーワードは風邪」といった各項目について所定の値を組み合わせた一定のパターンを想定する。そして、このようなパターンごとに重要度を医師の必要性に応じて付与し、「最終診察日から１年以上経過、診察間隔は１週間、およびキーワードの条件なし」の状況では診察の際通常通りカルテを出力するように定義しておく。同様に、「最終診察日から×年以上経過、診察間隔は１週間、およびキーワードは風邪」」の状況では、重要度を低くして診察の際カルテの簡単な確認で十分な出力形態を指定する。指定したパターンに対してその出力形態を登録する（Ｓ４０１）。重要部分出力制御定義ＤＢ１４６に対して、医師は事前に重要度に応じた出力形態（Ｄ６６０１）を登録する（Ｓ４０２）。
【００２４】
（スキャン情報分析処理）
図５は、来院頻度管理システムにおけるスキャン情報を分析する処理（図３のＳ３０２、Ｓ３０３、Ｓ３０４に相当）を示すフローチャートである。スキャナ装置１２１からスキャンイメージデータ、患者識別ユニークキー、キーワードとその位置情報、重要部マーク番号とその位置情報とランクの各データをカルテ分析機能１３１に送付する（Ｓ５０１）。尚、位置情報とはキーワードの時はキーワードを検出したカルテのＹ座標とし、次にキーワードが登場した直前をＹＥ座標とする。次のキーワードが登場しない場合はＥｎｄＯｆＤａｔａをＹＥ座標とする（図１８のＦ７１０１、Ｆ７１０２を参照）。重要部では重要部マークでしるしを付し位置をそれぞれＹ座標、ＹＥ座標とする（図１９のＦ７２０１、Ｆ７２０２を参照）。
【００２５】
カルテ分析機能１３１は、受取ったデータの年月日時分秒を患者ユニークキーと紐づけて、これを取扱単位キーとする（Ｓ５０２）。カルテ分析機能１３１により、スキャンイメージは、取扱単位キーをファイル名としてスキャンイメージファイルサーバ１４１に格納される（Ｓ５０３）。カルテ分析機能１３１は、診察キーワード管理ＤＢ１４３に取扱単位キーワードと位置情報とを登録する（Ｓ５０４）。
【００２６】
カルテ分析機能１３１は、重要部管理ＤＢ１４４に取扱単位キー、重要部マーク番号、位置情報およびランクを登録し（Ｓ５０５）、診察経過と間隔を再計算する（Ｓ５０６）。カルテ分析機能１３１は、Ｓ５０６で再計算した診察経過と間隔に対応した次回の出力形態を指定する（Ｓ５０７）。同様に、診察時間管理ＤＢ１４２に取扱単位キー、最新スキャンからの総経過日数、最新スキャンとその前回スキャンとの間隔、スキャンイメージ格納先および出力形態を（Ｄ６２０１）登録する（Ｓ５０８）。
【００２７】
（診察経過間隔再計算処理）
図６は、Ｓ５０６に示したスキャン情報分析処理フローの更に詳細な処理を示すフローチャートである。カルテ分析機能１３１は、診察時間管理ＤＢ１４２より過去の年月日時分秒を取得し（Ｓ６０１）、取得した年月日時分秒とスキャナ装置１２１から受取った年月日時分秒との差を計算する（Ｓ６０２）。カルテ分析機能１３１は、診察時間管理ＤＢ１４２の最新スキャンからの図１３に示すＤ６２０１の総経過日数のデータを準備する（Ｓ６０３）。カルテ分析機能１３１は、前回診察時間との差の値を診察時間管理ＤＢ１４２の前回スキャンからの間隔（図１３のＤ６２０１参照）のデータを準備する（Ｓ６０４）。
【００２８】
（次回出力形態指定処理）
図７は、Ｓ５０７に示した次回出力形態指定処理フローの更に詳細な処理を示したフローチャートである。カルテ分析機能１３１は、総経過日数（図１３のＤ６２０１参照）、前回スキャンからの間隔および診察キーワード管理ＤＢ１４３からのキーワードをもとに出力制御定義ＤＢ１４５から出力形態を選択する（Ｓ７０１）。ここで、総経過日数（図１３のＤ６２０１参照）は、取扱単位キーごとそれぞれに診察経過間隔再計算処理（Ｓ５０６）で再計算して取得する。次に、最新スキャンからの情報に基づいて、カルテ分析機能は条件に一致した出力形態が選択できたか否かを判断する（Ｓ７０２）。出力制御定義ＤＢ１４５から選択できなかった場合、取扱単位キーごとそれぞれに重要部マーク管理ＤＢ１４４から取得したランクで重要部出力制御定義ＤＢ１４６から一致する出力形態を選択する処理（Ｓ７０３）を行う。さらに出力形態が選択できたか否かを判断する（Ｓ７０５）。選択できなかった場合、等倍、すなわち１枚に１面印刷として処理するように設定する（Ｓ７０６）。
【００２９】
重要部分出力制御定義ＤＢ１４６で出力形態が選択できた場合はその出力形態を設定する（Ｓ７０７）。出力制御定義ＤＢ１４５から選択した後、取扱単位キーごとそれぞれに重要部マーク管理ＤＢ１４４から取得したランクで重要部出力制御定義ＤＢ１４６から一致する出力形態を選択する処理（Ｓ７０４）を行う。そして、さらに出力形態が選択できたか否かを判断する（Ｓ７０８）。選択できなかった場合、キーワードで一致した出力形態のままとして処理を終了する。重要部分出力制御定義ＤＢ１４６で出力形態が選択できた場合はその出力形態に置き換える（Ｓ７０９）。
【００３０】
（出力制御情報準備処理）
図８は、Ｓ３０５、Ｓ３０６、Ｓ３０７、Ｓ３０８に示した来院頻度管理システムにおける出力制御情報を準備する処理を示すフローチャートである。Ｕ／Ｉ装置１５１から該当患者のカルテを患者ユニークキーから呼出す（Ｓ８０１）。カルテ分析機能１３１は、取扱単位キーごとに診察時間管理ＤＢ１４２から出力形態を、および診察キーワード管理ＤＢ１４３からキーワードを取得してくる（Ｓ８０２）。カルテ分析機能１３１は、取得してきたそれぞれのレコードのうち出力形態とキーワードが変化するところまでを１つの表示単位にまとめる（Ｓ８０３）。
【００３１】
カルテ分析機能１３１は、表示単位にまとめた先頭のレコードを代表レコードとし（Ｓ８０４）、代表レコードを図１０に示す来院頻度一覧カルテ画面として表示させて（Ｓ８０５）画面の切替え指示があったかどうかを確認する（Ｓ８０６）。キーワード一覧カルテ画面に切替えられた場合、カルテ分析機能１３１は、取得した表示情報のうちキーワードが指定されているレコードのみを図１１に示すように表示する（Ｓ８０７）。重要度一覧カルテ画面に切替えられた場合、カルテ分析機能１３１は、取得している表示情報のうち重要度が指定されているレコードのみ図１２に示すように表示して（Ｓ８０８）それぞれの画面において印刷指示を待つ（Ｓ８０９）。
【００３２】
以上説明したように、来院状況とその診察内容の記載により次回の出力形態を設定することによって、画面確認レベルの内容は画面で確認し、変化があった点や注意を要する部分は紙カルテで時間を掛けて確認することができる。これにより、紙カルテと電子カルテの双方の利点が利用することができるので、患者の来院状況や医師の要望によってカルテ情報の重要部が絞り込まれて診察の質や効率が向上することが可能となる。
【００３３】
（第２実施形態）
以上、本発明の第１実施形態について詳述したが、本発明は、来院状況によって次回診察時の出力形態を設定するだけではなく、図１７に示すような重要度と出力情報とを対応させた表を用いて出力形態を決定する。図１７に示す対応表では、Ａが最も重要度が高く、Ｅが最も低い。図１７に示す重要部出力制御定義ＤＢにおいてＣランク以上の重要度なら必ず等倍で印刷し、Ｃランク未満なら画面表示のみとするように決めておくなど、医師の要望にあわせたカストマイズすることができる。本実施形態では、他の部分は第１実施形態と同様であるので説明を省略する。
【００３４】
なお、本発明は、前述した実施形態の機能を実現するソフトウェアプログラムを、システムあるいは装置に供給し、そのシステムあるいは装置のコンピュータが供給されたプログラムコードを読み出して実行することによっても達成される場合を含む。その場合、プログラムの機能を有していれば、形態は、プログラムである必要はない。
【００３５】
従って、本発明の機能処理をコンピュータで実現するために、コンピュータにインストールされるプログラムコード自体も本発明を実現するものである。つまり、本発明のクレームでは、本発明の機能処理を実現するためのコンピュータプログラム自体も含まれる。
【００３６】
その場合、プログラムの機能を有していれば、オブジェクトコード、インタプリタにより実行されるプログラム、ＯＳに供給するスクリプトデータ等、プログラムの形態を問わない。
【００３７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。さらに、磁気テープ、不揮発性のメモリカード、ＲＯＭ、ＤＶＤ（ＤＶＤ−ＲＯＭ，ＤＶＤ−Ｒ）なども使用することができる。
【図面の簡単な説明】
【００３８】
【図１】本発明の実施形態に係る情報処理装置としての来院頻度によるカルテ管理のシステム構成図である。
【図２】本発明の一実施形態のスキャナ装置の概略構成を示すブロック図である。
【図３】本発明の一実施形態の全体処理の概要を示すシーケンス図である。
【図４】本発明の一実施形態の来院頻度によるカルテ管理の処理の詳細を示すフローチャートである。
【図５】本発明の一実施形態の来院頻度によるカルテ管理の処理の詳細を示すフローチャートである。
【図６】本発明の一実施形態の来院頻度によるカルテ管理の処理の詳細を示すフローチャートである。
【図７】本発明の一実施形態の来院頻度によるカルテ管理の処理の詳細を示すフローチャートである。
【図８】本発明の一実施形態の来院頻度によるカルテ管理の処理の詳細を示すフローチャートである。
【図９】本発明の一実施形態の来院頻度によるカルテ管理の処理の詳細を示すフローチャートである。
【図１０】本発明の一実施形態のＵ／Ｉ装置に表示される画面を示す図である。
【図１１】本発明の一実施形態のＵ／Ｉ装置に表示される画面を示す図である。
【図１２】本発明の一実施形態のＵ／Ｉ装置に表示される画面を示す図である。
【図１３】本発明の一実施形態のデータベースに格納されたデータを示す図である。
【図１４】本発明の一実施形態のデータベースに格納されたデータを示す図である。
【図１５】本発明の一実施形態のデータベースに格納されたデータを示す図である。
【図１６】本発明の一実施形態のデータベースに格納されたデータを示す図である。
【図１７】本発明の一実施形態の重要度と出力情報とを対応させた表を示す図である。
【図１８】本発明の一実施形態のカルテのフォームを示す図である。
【図１９】本発明の一実施形態のカルテのフォームを示す図である。
【符号の説明】
【００３９】
１１１  診察後カルテ  
１２１  スキャナ装置
１３１  カルテ分析機能
１４１  スキャンシステムファイルサーバ
１４２  診察時間管理データベース
１４３  診察キーワード管理データベース
１４４  需要部マーク管理データベース
１４５  出力制御定義データベース
１４６  重要部出力制御定義データベース
１５１  ユーザインターフェース装置
１６１  印刷装置
１７１  来院頻度対応カルテ
２０１  表示装置
２０２  ＶＲＡＭ
２０３  ＣＤＤ
２０４  キーボード
２０５  ポインティングデバイス
２０６  ＣＰＵ
２０７  ＲＯＭ
２０８  ＲＡＭ
２０９  ＨＤＤ
２１０  ＦＤＤ
２１１  ネットワーク・インターフェース
２１２  ＣＰＵバス
２１３  ネットワーク
【図１】
2007334676.tif 000003
【図２】
2007334676.tif 000004
【図３】
2007334676.tif 000005
【図４】
2007334676.tif 000006
【図５】
2007334676.tif 000007
【図６】
2007334676.tif 000008
【図７】
2007334676.tif 000009
【図８】
2007334676.tif 000010
【図９】
2007334676.tif 000011
【図１０】
2007334676.tif 000012
【図１１】
2007334676.tif 000013
【図１２】
2007334676.tif 000014
【図１３】
2007334676.tif 000015
【図１４】
2007334676.tif 000016
【図１５】
2007334676.tif 000017
【図１６】
2007334676.tif 000018
【図１７】
2007334676.tif 000019
【図１８】
2007334676.tif 000020
【図１９】
2007334676.tif 000021